(57)【要約】【課題】使用する環状蛍光ランプのランプサークルの外徑が大きくなってもランプ支持ばねの反力により生ずる給電ピンとキャッチソケットのピン孔との係合ずれが生じないキャッチ式の環状蛍光ランプ用照明器具を提供する。【解決手段】キャッチ式の環状蛍光ランプ用照明器具１において器具本体７に設けられる２個のランプ支持ばね１２は、器具本体２の中心点を通り中心点とキャッチソケット１１とを結ぶ線と直交する線上に等距離で両側に配置されており、その位置で環状蛍光ランプを保持する。従ってキャッチソケット１１のランプ保持部１２ｂから環状蛍光ランプ２０を給電ピン７１の方向に押圧する方向の分力は殆ど生ぜず、環状蛍光ランプ２０のランプサークルの外徑が変動しても給電ピン２１がキャッチソケット１１から抜け出すおそれはない。【選択図】図１
2008269873.tif 000002
【特許請求の範囲】
【請求項１】
環状蛍光ランプが保持される照明器具の器具本体の該環状蛍光ランプの内径側に対向する側面に設けられたキャッチソケット、および前記環状蛍光ランプを保持する２個のランプ支持ばねを備え、
それぞれの前記ランプ支持ばねは、ランプ保持部と該ランプ保持部と連接して前記器具本体に固定される基部とを有し、前記ランプ保持部は前記器具本体に保持された前記環状蛍光ランプの側面と整合する半円形の断面形状を有し、前記基部は弾性を有し前記ランプ保持部が前記環状蛍光ランプの側面を押圧するように該ランプ保持部を保持し、
前記ランプ保持部は、前記器具本体の中心点と前記キャッチソケットの中心を結ぶ線と、９０°を中心とした所定の範囲の角度内で交差して該中心点を通る線上に設けられている、ことを特徴とする環状蛍光ランプ用照明器具。
【請求項２】
請求項１に記載の環状蛍光ランプ用照明器具において、
前記９０°を中心とした所定の範囲の角度は、９０°±１０°である、環状蛍光ランプ用照明器具。
【請求項３】
請求項１に記載の環状蛍光ランプ用照明器具において、
前記９０°を中心とした所定の範囲の角度は、望ましくは９０°±１°である、環状蛍光ランプ用照明器具。
【請求項４】
請求項１から請求項３に記載の環状蛍光ランプ用照明器具において、
前記環状蛍光ランプ用照明器具は、サークル直径の異なる２種類の環状蛍光ランプが取付け可能な環状蛍光ランプ用照明器具であって、
前記キャッチソケットと前記ランプ支持ばねとはそれぞれの環状蛍光ランプに対応して設けられている、環状蛍光ランプ用照明器具。
【発明の詳細な説明】
【技術分野】
【０００１】
本発明は環状蛍光ランプ用照明器具に関し、特に水平キャッチソケット型の環状蛍光ランプ用照明器具に関する。
【背景技術】
【０００２】
従来、環状蛍光ランプ用照明器具における環状蛍光ランプの取り付けは、照明器具本体に中心部から通常等角度で３個が配置された弾性帯板からなるランプ支持ばね(ランプホルダ)で環状蛍光ランプを器具本体に保持し、保持された環状蛍光ランプの給電ピンに器具本体とコードを介して接続されたソケットを差し込んで使用していた。
【０００３】
しかし、この構成では取付け取外しの際に、環状蛍光ランプを器具本体に３個のランプ支持ばねを介して固定あるいは取り外す動作と、ランプ口金の給電ピンにソケットを差し込むあるいは引き抜くという二つの動作を必要とし、器具が床面から高い位置にあることが多いので、ランプ交換の際などには手間がかかり作業が容易でないという問題があった。
【０００４】
そこで、器具本体の３個のランプ支持ばねの中の１個が設けられていた位置に外向きに給電用のピン孔を有するキャッチソケットをピン孔が環状蛍光ランプ取付け面に平行となるように設け、環状蛍光ランプを残りの２個のランプ支持ばねに整合させた状態でランプの給電ピンをキャッチソケットのピン孔に水平方向に押し込むことで環状蛍光ランプをその位置に固定し、同時に残った２個のランプ支持ばねにも環状蛍光ランプが押し込まれて環状蛍光ランプがキャッチソケットと２個のランプ支持ばねの３点で固定される水平キャッチソケット式（キャッチ式と略称）と呼ばれるランプ取付け方式が開発され実用化されている。
【０００５】
キャッチ式の場合、環状蛍光ランプを器具本体に水平に押し込む動作だけで環状蛍光ランプの固定と給電とが同時に行われ、従来のように３個のランプ支持ばねを押し開いてランプを取り付けた後にソケットを給電ピンに取り付けるという動作も不要となり、省力と共に安全性も高まった。また、ランプ支持ばねも従来の３個から２個に減らすことができた。
【０００６】
通常器具本体の取り付け面におけるキャッチソケットと２個のランプ支持ばねとの間の相互の角度は、従来の方式と同様に器具中心に対して等角度(１２０度)の近辺となっているものが多い。
【０００７】
特許文献１（特開２００４−１３４１２６）には、２つのランプ支持ばね(ランプホルダ)が器具本体の周方向においてランプソケットから等間隔に配置されており、かつ各ランプ支持ばねは蛍光ランプの周方向に沿った中心線により形成される仮想円の中心と各ランプ支持ばねとを結ぶ２つの仮想直線のなす角度が３０°から９０°となるように配置されていて、ランプの着脱作業が容易で、かつ器具本体の振動などによるランプのゆれの少ない照明器具が開示されている。
【特許文献１】特開２００４−１３４１２６号公報
【発明の開示】
【発明が解決しようとする課題】
【０００８】
特許文献１に記載の照明器具の構成はキャッチ式と類似しているが、ランプをランプ支持ばねに保持させた後にランプピンをソケットに下側から押し込むタイプであり、ランプのピン部に下向きの力が加わるとソケットから外れる可能性がある。キャッチ式では下向きの力が加わっても外れることはない。
【０００９】
図２は従来のキャッチ式環状蛍光ランプ用照明器具の模式的外形図であり、（ａ）は側面図、（ｂ）は下面図である。キャッチ式環状蛍光ランプ用照明器具６の器具本体７の環状蛍光ランプ７０に囲まれる部分には、環状蛍光ランプ７０のランプ口金７２の給電ピン７１と係合して給電ピン７１に給電するキャッチソケット６１と、器具本体７の中心部を中心としてキャッチソケット６１を含めたそれぞれが等角度に近い角度となるように配置された２個のランプ支持ばね６２（ランプホルダ）とが設けられている。ランプ支持ばね６２は、器具本体７に固定されている基部６２ａと、基部６２ａに連接して設けられていて断面が半円形のランプ保持部６２ｂを有し、ランプ保持部６２ｂは器具本体７の中心部に向かって開口していて、開口部で保持された環状蛍光ランプ７０を器具本体７の中心部に向けてばねの弾性で押圧して環状蛍光ランプ７０を固定する。
【００１０】
キャッチ式環状蛍光ランプ用照明器具６の場合、ランプ支持ばね６２の位置が器具本体７の中心から蛍光ランプのキャッチソケット６１までのラインを０°とすると図２のβの角度が１２０°〜１５０°となる位置となるのが一般的であった。
【００１１】
しかしながら環状蛍光ランプ７０のランプサークルの外形寸法がメーカーによって規格の範囲内でばらつきがあるため、取り付けられる環状蛍光ランプ７０のランプサークルの外形寸法は一定でなく違いがある。
【００１２】
最もランプサークルの外徑の小さい環状蛍光ランプ７０を安定して保持できるようにランプ支持ばね６２の位置が設定されていると、外径寸法が大きな環状蛍光ランプ７０を取り付けた場合は、ランプ支持ばね６２の環状蛍光ランプ７０と接触するランプ保持部６２ｂが外側に押し出されることになる。それにより弾性を有するランプ支持ばね６２のランプ保持部６２ｂから環状蛍光ランプ７０の側面に加わる反力が大きくなって、環状蛍光ランプ７０に対する図２に示す押圧力Ｆが大きくなる、その押圧力Ｆのキャッチソケット６１と環状蛍光ランプ７０の中心とを結ぶ直線に垂直方向の分力ｙは左右のランプ支持ばね６２の間で反対方向であるため相殺されるが、水平方向の分力ｘはいずれも環状蛍光ランプ７０をキャッチソケット６１側に押す力として働く。
【００１３】
この押す力が、環状蛍光ランプ７０の給電ピン７１とキャッチソケット６１のピン孔との間の保持力を超えると、給電ピン７１とキャッチソケット６１のピン孔との係合がずれて接触不良となり、最悪の場合は過熱状態となる可能性すらあるという問題がある。また極端な場合、給電ピン７１がキャッチソケット６１から抜けて環状蛍光ランプ７０が器具本体７から外れて落ちる可能性もある。
【００１４】
また、反力Ｆが大きくなるとランプ保持部６２ｂを開くことが困難になり、環状蛍光ランプ７０のランプ保持部６２ｂへの取り付け取外しも困難となる。
【００１５】
本発明の目的は、使用する環状蛍光ランプのランプサークルの外徑が大きくなってもランプ支持ばねの反力により生ずる給電ピンとキャッチソケットのピン孔との係合ずれが生じないキャッチ式の環状蛍光ランプ用照明器具を提供することにある。
【課題を解決するための手段】
【００１６】
本発明の環状蛍光ランプ用照明器具は、
環状蛍光ランプが保持される照明器具の器具本体のその環状蛍光ランプの内径側に対向する側面に設けられたキャッチソケット、および環状蛍光ランプを保持する２個のランプ支持ばねを備え、それぞれのランプ支持ばねは、ランプ保持部とそのランプ保持部と連接して器具本体に固定される基部とを有し、ランプ保持部は器具本体に保持された環状蛍光ランプの側面と整合する半円形の断面形状を有し、基部は弾性を有しランプ保持部が環状蛍光ランプの側面を押圧するようにそのランプ保持部を保持し、ランプ保持部は、器具本体の中心点とキャッチソケットの中心を結ぶ線と、９０°を中心とした所定の範囲の角度内で交差してその中心点を通る線上に設けられていることを特徴とする。
【００１７】
９０°を中心とした所定の範囲の角度は、９０°±１０°であってもよく、９０°±１°であることが望ましい。
【００１８】
ランプ保持部は、器具本体の中心点とキャッチソケットの中心を結ぶ線と、９０°を中心とした所定の範囲の角度内で交差してその中心点を通る線上に設けられているので、ランプ保持部の押圧力にはランプ口金方向に向かう分力は殆どない。
【００１９】
環状蛍光ランプ用照明器具は、サークル直径の異なる２種類の環状蛍光ランプが取付け可能な環状蛍光ランプ用照明器具であって、キャッチソケットとランプ支持ばねとはそれぞれの環状蛍光ランプに対応して設けられていてもよい。
【発明の効果】
【００２０】
本発明は、キャッチ式の環状蛍光ランプ用照明器具において、ランプ支持ばねの位置を、器具本体中心を通り、キャッチソケットと器具本体中心とを結ぶ線とほぼ直交する線上としたので、ランプサークルの外徑の大きい環状蛍光ランプの取り付けによってランプ支持ばねのランプ保持部が押し出されたとしても、その反力は器具本体中心に向かい、環状蛍光ランプの給電ピンをキャッチソケットから引き抜く方向の分力は殆ど発生しないので、環状蛍光ランプの給電ピンがキャッチソケットから引き抜かれることを防止できるという効果がある。
【発明を実施するための最良の形態】
【００２１】
次に、本発明の実施の形態について図面を参照して説明する。図１は本発明の実施の形態のキャッチ式環状蛍光ランプ用照明器具の模式的外形図であり、（ａ）は側面図、（ｂ）は下面図、（ｃ）はランプ支持ばねの側面拡大図である。
【００２２】
キャッチ式環状蛍光ランプ用照明器具１における器具本体２の環状蛍光ランプ２０に近接する部分には、キャッチソケット１１と２個のランプ支持ばね１２（ランプホルダ）が設けられている。
【００２３】
キャッチソケット１１には、環状蛍光ランプ２０のランプ口金２２の給電ピン２１と環状蛍光ランプ取付け面に平行となる方向で係合可能なピン孔が設けられており、ピン孔に給電ピン２１が挿入されることによって給電ピン２１に給電されるとともに、ランプ口金２２がその位置で固定される。
【００２４】
２個のランプ支持ばね１２は器具本体２の中心点を通り中心点とキャッチソケット１１とを結ぶ線と直交する線上に等距離で両側に配置されており、その位置で環状蛍光ランプ２０を保持する。
【００２５】
ランプ支持ばね１２は器具本体２に固定される基部１２ａと基部１２ａに連接して器具本体２の中心部に向かって開口する断面が半円形のランプ保持部１２ｂとを有しており、ランプ保持部１２ａは保持された環状蛍光ランプ２０をランプ支持ばね１２の弾性によって器具本体２の中心部に向けて押圧し、環状蛍光ランプ２０の脱落を防止する。ここでは環状蛍光ランプ２０を外側から押圧して保持する形状で説明するが、ランプ保持部１２ｂが２個対向して設けられていて環状蛍光ランプ２０を内側と外側から挟み込む形のランプ支持ばね１２であってもよい。
【００２６】
図２を参照して説明した従来のキャッチ式の環状蛍光ランプ照明器具６の場合、上述のようにランプ支持ばね６２の位置が、照明器具の中心から蛍光ランプキャッチソケットまでのラインを０°とすると図２のβの角度は１２０°〜１５０°となることが一般的であったが、本実施の形態のキャッチ式環状蛍光ランプ照明器具１では図１のαの角度は９０°となっている。
【００２７】
上述のように、従来のキャッチ式の環状蛍光ランプ照明器具６の場合ランプ支持ばね６２の環状蛍光ランプ７０に対する押圧力はランプ口金７２の方向に向かう分力を有していて、環状蛍光ランプ７０の外形寸法が大きくなると押圧力も大きくなり、それに伴って環状蛍光ランプ７０をランプ口金７２方向に押圧する分力ｘも大きくなって給電ピン７１がキャッチソケット６１のピン孔から抜け出すおそれがあった。
【００２８】
本実施の形態の環状蛍光ランプ２０では、図１の角度αが９０°の場合は環状蛍光ランプ２０に対する押圧力Ｆの環状蛍光ランプ２０をランプ口金２２方向に押圧する分力ｘは０であり、環状蛍光ランプ２０の直径が大きくなった場合でも直径が小さくなった場合でも環状蛍光ランプ２０に対する押圧力Ｆは変化するが分力ｘは０で変わらない。厳密に言えばランプ保持部６２ｂに接触する部分の環状蛍光ランプ２０の傾斜の変化により押圧力のかかる方向が変化して分力ｘが発生するがその値は僅かであり給電ピン２１をキャッチソケット１１から引き出す力となることはない。
【００２９】
角度αは９０°±１°が望ましいが９０°±１０°であってもマイナスの場合は給電ピンを引き抜く方向の力は加わらず、プラスの場合も給電ピンを引き抜く方向の力はランプ支持ばね１２から環状蛍光ランプ２０に加わる押圧力Ｆの２０％以下であるので、通常給電ピン２１をキャッチソケット１１から変位させる力とはならない。
【００３０】
これまでは、環状蛍光ランプ２０が１本の場合で説明したが、直径の異なる２本の環状蛍光ランプ２０が組み合わさった二重円環型であっても、それぞれに対してキャッチソケット１１とランプ支持ばね１２とを設ければよい。
【図面の簡単な説明】
【００３１】
【図１】本発明の実施の形態のキャッチ式環状蛍光ランプ用照明器具の模式的外形図であり、（ａ）は側面図、（ｂ）は下面図、（ｃ）はランプ支持ばねの側面拡大図である。
【図２】従来のキャッチ式環状蛍光ランプ用照明器具の模式的外形図であり、（ａ）は側面図、（ｂ）は下面図である。
【符号の説明】
【００３２】
１、６    キャッチ式環状蛍光ランプ用照明器具
２、７    器具本体
１１、６１    キャッチソケット
１２、６２    ランプ支持ばね
１２ａ、６２ａ    基部
１２ｂ、６２ｂ    ランプ保持部
２０、７０    環状蛍光ランプ
２１、７１    給電ピン
２２、７２    ランプ口金
【図１】
2008269873.tif 000003
【図２】
2008269873.tif 000004